【手続補正書】
【提出日】平成25年12月5日(2013.12.5)
【手続補正１】
【補正対象書類名】特許請求の範囲
【補正対象項目名】全文
【補正方法】変更
【補正の内容】
【特許請求の範囲】
【請求項１】
出力符号を生成するため２相変調信号を復号する復号器システムであって、前記２相変調信号の各ビットウインドウが単一の論理ビットを表し、各ビットウインドウは論理遷移で始まり、前記単一の論理ビットが、前記ビットウインドウを通じて実質的に一定の論理状態で表される第１の論理状態と、前記ビットウインドウのほぼ中心における付加的な論理状態の遷移で表される第２の論理状態とを有し、前記符号器システムが、
前記第１の論理状態に関連する第１の有限インパルス応答（ＦＩＲ）フィルタであって、前記２相変調信号の複数の連続デジタルサンプルの第１の統計値を、前記第１のＦＩＲフィルタのそれぞれ複数のタップ重みに関連して生成するように構成される、前記第１のＦＩＲフィルタと、
前記第２の論理状態に関連する第２のＦＩＲフィルタであって、前記２相変調信号の前記複数の連続デジタルサンプルの第２の統計値を、前記第２のＦＩＲフィルタのそれぞれ複数のタップ重みに関連して生成するように構成される、前記第２のＦＩＲフィルタと、
前記第１及び第２の統計値を代表する信号を受け取るように接続され、前記第１の統計値と前記第２の統計値を比較し、前記比較に基づいて、前記第１の論理状態と前記第２の論理状態の一方を有するビットとして前記出力符号を提供するように構成される、コンパレータと、
を含み、
前記第１のＦＩＲフィルタの前記複数のタップ重みが基準値以上の値の範囲を含み、前記第２のＦＩＲフィルタの前記複数のタップ重みが、前記基準値よりも大きい、前記２相変調信号の前記複数の連続デジタルサンプルの第１の部分に対応する値の第１の範囲と、前記基準値よりも小さい、前記２相変調信号の前記複数の連続デジタルサンプルの第２の部分に対応する値の第２の範囲とを含み、前記第１及び第２のＦＩＲフィルタの各々の前記複数のタップ重みが正規化される、復号器システム。
【請求項２】
請求項１に記載のシステムであって、
前記第１の統計値が第１のドット積であり、前記第２の統計値が第２のドット積であり、前記コンパレータが、前記第１のドット積の絶対値が前記第２のドット積の絶対値より大きいと前記第１の論理状態として前記ビットを出力し、前記第２のドット積の前記絶対値が前記第１のドット積の前記絶対値より大きいと前記第２の論理状態として前記ビットを出力するように構成される、システム。
【請求項３】
請求項１に記載のシステムであって、
前記第１のＦＩＲフィルタの前記複数のタップ重みの値の前記範囲が、前記第１のＦＩＲフィルタの対応する複数のタップにわたるほぼ正弦半波として配され、前記第２のＦＩＲフィルタの前記複数のタップ重みの値の前記範囲が、前記第２のＦＩＲフィルタの対応する複数のタップにわたるほぼ正弦波として配される、システム。
【請求項４】
請求項１に記載のシステムであって、
前記第１のＦＩＲフィルタが前記第１の論理状態に関連する第１の複数のフィルタを含み、前記第１の複数のフィルタの各々が個別の数のタップを含み、前記第２のＦＩＲフィルタが前記第２の論理状態に関連する第２の複数のフィルタを含み、前記第２の複数のフィルタの各々が前記第１の複数のフィルタの前記個別の数のタップにそれぞれ対応する個別の数のタップを含む、システム。
【請求項５】
請求項４に記載のシステムであって、
前記コンパレータが、前記第１及び第２の複数のフィルタのそれぞれによって生成されるドット積としての前記統計値を比較し、前記比較に基づいて、前記第１の論理状態と前記第２の論理状態の一方を有する前記ビットとして前記出力符号を提供するように構成される、システム。
【請求項６】
請求項５に記載のシステムであって、
前記コンパレータが、更に、前記比較に基づいて、前記２相変調信号の各ビットウィンドウに対応するデジタルサンプルの数を特定し、前記２相変調信号の各ビットウィンドウに対応する前記デジタルサンプルの数のパターンに基づいて、前記２相変調信号の後続のビットウィンドウを復号するため、前記第１の複数のフィルタと前記第２の複数のフィルタの各々から対応する適切なサブセットを選択するように構成される、システム。
【請求項７】
請求項１に記載のシステムであって、前記第１及び第２フィルタの各々がＮ個のタップを含み、Ｎが前記２相変調信号のビットウィンドウ当たりのそれぞれＮ個の予想デジタルサンプルに対応する正の整数であり、前記システムが、
前記第１の論理状態に関連する第３のＦＩＲフィルタであって、前記２相変調信号のＮ＋１個の連続デジタルサンプルの第３の統計値を、前記第３のＦＩＲフィルタのＮ＋１個のタップ重みに関連して生成するように構成される、前記第３のＦＩＲフィルタと、
前記第１の論理状態に関連する第４のＦＩＲフィルタであって、前記２相変調信号のＮ−１個のデジタルサンプルの第４の統計値を、前記第４のＦＩＲフィルタのＮ−１個のタップ重みに関連して生成するように構成される、前記第４のＦＩＲフィルタと、
前記第２の論理状態に関連する第５のＦＩＲフィルタであって、前記２相変調信号のＮ＋１個の連続デジタルサンプルの第５の統計値を、前記第５のＦＩＲフィルタのＮ＋１個のタップ重みに関連して生成するように構成される、前記第５のＦＩＲフィルタと、
前記第２の論理状態に関連する第６のＦＩＲフィルタであって、前記２相変調信号のＮ−１個の連続デジタルサンプルの第６の統計値を、前記第６のＦＩＲフィルタのＮ−１個のタップ重みに関連して生成するように構成される、前記第６のＦＩＲフィルタと、
を更に含み、
前記コンパレータが、前記第１から第６の統計値の大きさを比較し、前記比較に基づいて、前記第１の論理状態と前記第２の論理状態の一方を有する前記ビットとして前記出力符号を提供するように構成される、システム。
【請求項８】
請求項１に記載の復号器システムを含む無線電力システムであって、
１次インダクタに関連する１次電流をモニタリングするように構成される受信器を含む無線充電器であって、前記受信器が請求項１に記載の復号器システムを含む、前記無線充電器と、
２次インダクタに関連する２次電流に対して２相通信信号を変調するように構成される送信器を含む携帯電子デバイスと、
を含み、
前記１次インダクタと２次インダクタが共同で、前記１次インダクタから前記２次インダクタにエネルギーを伝達して前記携帯電子デバイス内に電圧を生成するように構成される絶縁変圧器を形成する、無線電力システム。
【請求項９】
請求項８に記載の無線電力システムであって、
前記受信器が、前記１次インダクタに関連する電圧、電力、及び電流のうち１つの大きさを、前記２相変調信号の前記複数の連続デジタルサンプルに変換するように構成されるアナログデジタルコンバータ（ＡＤＣ）を更に含む、無線電力システム。
【請求項１０】
２相変調信号を復号するための方法であって、前記２相変調信号の各ビットウインドウが単一の論理ビットを表し、各ビットウインドウは論理遷移で始まり、前記単一の論理ビットが、前記ビットウインドウを通じて実質的に一定の論理状態で表される第１の論理状態と、前記ビットウインドウのほぼ中心における付加的な論理状態の遷移で表される第２の論理状態とを有し、前記方法が、
送信媒体を介して前記２相変調信号を受け取ること、
前記２相変調信号をアナログ形式から複数の連続デジタルサンプルを含むデジタル形式に変換すること、
前記複数の連続デジタルサンプルと、第１の論理状態に関連する第１の有限インパルス応答（ＦＩＲ）フィルタのそれぞれ複数のタップ重みとの第１のドット積を生成すること、
前記複数の連続デジタルサンプルと、第２の論理状態に関連する第２のＦＩＲフィルタのそれぞれ複数のタップ重みとの第２のドット積を生成すること、
前記第１のドット積の絶対値と前記第２のドット積の絶対値とを比較すること、
前記第１のドット積の前記絶対値が前記第２のドット積の前記絶対値より大きいと前記第１の論理状態を有し、前記第２のドット積の前記絶対値が前記第１のドット積の前記絶対値より大きいと前記第２の論理状態を有するビットとして出力符号を生成すること、
前記第１のＦＩＲフィルタの前記複数のタップ重みを、基準値以上の値の範囲を有するようにプログラムすること、
前記第２のＦＩＲフィルタの前記複数のタップ重みを、前記基準値よりも大きい、前記２相変調信号の連続デジタルサンプルに対応する値の第１の範囲と、前記基準値よりも小さい、前記２相変調信号の連続デジタルサンプルに対応する値の第２の範囲とを有するようにプログラムすること、及び、
前記第１及び第２のＦＩＲフィルタのそれぞれの前記複数のタップ重みを正規化すること、
を含む、方法。
【請求項１１】
請求項１０に記載の方法であって、
前記第１のＦＩＲフィルタの前記複数のタップ重みをプログラムすることが、前記第１のＦＩＲフィルタの前記複数のタップ重みの値の前記範囲を、前記第１のＦＩＲフィルタの対応する複数のタップにわたるほぼ正弦半波としてプログラムすることを含み、前記第２のＦＩＲフィルタの前記複数のタップ重みをプログラムすることが、前記第２のＦＩＲフィルタの前記複数のタップ重みの値の前記範囲を、前記第２のＦＩＲフィルタの対応する複数のタップにわたるほぼ正弦波としてプログラムすることを含む、方法。
【請求項１２】
請求項１０に記載の方法であって、
前記第１のＦＩＲフィルタが前記第１の論理状態に関連する第１の複数のフィルタを含み、前記第１の複数のフィルタの各々が個別の数のタップを含み、前記第２のＦＩＲフィルタが前記第２の論理状態に関連する第２の複数のフィルタを含み、前記第２の複数のフィルタの各々が前記第１の複数のフィルタの前記個別の数のタップにそれぞれ対応する個別の数のタップを含む、方法。
【請求項１３】
請求項１０に記載の方法であって、前記第１及び第２のＦＩＲフィルタの各々がＮ個のタップを含み、Ｎが前記２相変調信号のビットウィンドウ当たりのそれぞれＮ個の予想デジタルサンプルに対応する正の整数であり、前記方法が、
前記２相変調信号のＮ＋１個の連続デジタルサンプルと、前記第１の論理状態に関連する第３の有限インパルス応答フィルタのＮ＋１個のタップ重みとの第３のドット積を生成すること、
前記２相変調信号のＮ−１個の連続デジタルサンプルと、前記第１の論理状態に関連する第４の有限インパルス応答フィルタのＮ−１個のタップ重みとの第４のドット積を生成すること、
前記２相変調信号のＮ＋１個の連続デジタルサンプルと、前記第２の論理状態に関連する第５の有限インパルス応答フィルタのＮ＋１個のタップ重みとの第５のドット積を生成すること、及び、
前記２相変調信号のＮ−１個の連続デジタルサンプルと、前記第２の論理状態に関連する第６の有限インパルス応答フィルタのＮ−１個のタップ重みとの第６のドット積を生成すること、
を更に含み、
前記大きさを比較することが、前記第１から第６のドット積の絶対値の大きさを比較することを含む、方法。
【請求項１４】
請求項１３に記載の方法であって、
前記比較に基づいて、前記２相変調信号の各ビットウィンドウに対応する受け取ったデジタルサンプルの数を特定すること、及び、
前記２相変調信号の各ビットウィンドウに対応する受け取ったデジタルサンプルの数のパターンに基づいて、前記２相変調信号の後続のビットウィンドウを復号するため、前記第１、第３、及び第４の有限インパルス応答フィルタの適切なサブセットと前記第２、第５、及び第６の有限インパルス応答フィルタの適切なサブセットとを選択すること、
を更に含む、方法。
【請求項１５】
２次インダクタに関連する２次電流に対して２相通信信号を変調するように構成される送信器を含む携帯電子デバイスであって、前記２相変調信号の各ビットウインドウが単一の論理ビットを表し、各ビットウインドウは論理遷移で始まり、前記単一の論理ビットが、前記ビットウインドウを通じて実質的に一定の論理状態で表される第１の論理状態と、前記ビットウインドウのほぼ中心における付加的な論理状態の遷移で表される第２の論理状態とを有する、前記携帯電子デバイス、及び、
１次インダクタに関連する１次電流をモニタリングするように構成される受信器を含む無線充電器、
を含む無線電力システムであって、
前記１次インダクタと２次インダクタが共同で、前記１次インダクタから前記２次インダクタにエネルギーを伝達して前記携帯電子デバイス内の再充電可能な電池を充電するように構成される絶縁変圧器を形成し、
前記受信器が、
第１の論理状態に関連する少なくとも１つの第１の有限インパルス応答（ＦＩＲ）フィルタであって、前記１次電流に関連する２相変調信号の複数の連続デジタルサンプルと、前記少なくとも１つの第１のＦＩＲフィルタのそれぞれに関連する個別の複数のタップに関連するタップ重みとのドット積を生成するように各々構成される、前記第１のＦＩＲフィルタと、
第２の論理状態に関連する少なくとも１つの第２のＦＩＲフィルタであって、前記１次電流に関連する前記２相変調信号の前記複数の連続デジタルサンプルと、前記少なくとも１つの第２のＦＩＲフィルタのそれぞれに関連する個別の複数のタップに関連するタップ重みとのドット積を生成するように各々構成される、前記第２のＦＩＲフィルタと、
前記第１及び第２のドット積を受け取るように接続され、前記少なくとも１つの第１のＦＩＲフィルタと前記少なくとも１つの第２のＦＩＲフィルタのそれぞれに関連する前記ドット積を比較し、前記比較に基づいて、前記第１の論理状態と前記第２の論理状態の一方を有するビットとして出力符号を提供するように構成されるコンパレータと、
を含む復号器を含み、
前記少なくとも１つの第１のＦＩＲフィルタの前記複数のタップ重みが基準値以上の値の範囲を含み、前記少なくとも１つの第２のＦＩＲフィルタの前記複数のタップ重みが、前記基準値よりも大きい、前記２相変調信号の複数の連続デジタルサンプルの第１の部分に対応する値の第１の範囲と、前記基準値よりも小さい、前記２相変調信号の前記複数の連続デジタルサンプルの第２の部分に対応する値の第２の範囲とを含み、前記少なくとも１つの第１及び前記少なくとも１つの第２のＦＩＲフィルタの各々の前記複数のタップ重みが正規化される、無線電力システム。
【請求項１６】
請求項１５に記載の無線電力システムであって、
前記受信器が、前記１次電流の大きさを前記２相変調信号の前記複数の連続デジタルサンプルに変換するように構成されるアナログデジタルコンバータ（ＡＤＣ）を更に含む、無線電力システム。
【請求項１７】
請求項１５に記載の無線電力システムであって、
前記少なくとも１つの第１のＦＩＲフィルタが前記第１の論理状態に関連する第１の複数のフィルタを含み、前記少なくとも１つの第２のＦＩＲフィルタが前記第２の論理状態に関連する第２の複数のフィルタを含み、前記コンパレータが、前記比較に基づいて、前記２相変調信号の各ビットウィンドウに対応するデジタルサンプルの数を特定し、前記２相変調信号の各ビットウィンドウに対応する前記デジタルサンプルの数のパターンに基づいて前記２相変調信号の後続のビットウィンドウを復号するため、前記第１の複数のフィルタと前記第２の複数のフィルタの各々の適切なサブセットを選択するように更に構成される、無線電力システム。